【事件の表示】
　平成　６年特許願第１３２１０１号「インデックスプリンタ」拒絶査定に対する審判事件［平成　７年１２月２２日出願公開、特開平　７−３３３７３７］について、次のとおり審決する。
【結　論】
　本件審判の請求は、成り立たない。
【理　由】
１．本願は、平成６年６月１４日の出願であつて、その請求項１に係る発明は、願書に添付した明細書及び図面の記載からみて、特許請求の範囲の請求項１に特定された次のとおりのものである。
　「【請求項１】フィルム（２）の複数駒の画像情報とこの画像情報以外の付加情報を一つの印刷対象物に印刷するインデックスプリンタにおいて、前記付加情報を入力する付加情報入力手段（ＳＩ）が、複数種の付加情報を記憶する記憶手段（ＣＭ）と、その記憶手段（ＣＭ）に記憶されている付加情報を印刷されるべき付加情報として指定する指定手段（ＰＩ）と、手動操作により任意の文字情報を印刷されるべき付加情報として入力する文字情報入力部（ＣＩ）とを備えており、かつ前記複数駒の画像情報が互いに近接した状態で印刷される画像表示領域（ＩＡ）が前記印刷対象物に区画されているとともに、前記付加情報が印刷される付加情報表示欄（ＣＳ）が前記画像表示領域（ＩＡ）とは別に前記印刷対象物に区画されており、かつ前記付加情報表示欄（ＣＳ）には顧客が自由に書き込める欄が含まれていることを特徴とするインデックスプリンタ。」
２．これに対して、原査定の拒絶の理由に引用した特開平５−１１３５３号公報（以下、第１引用例という。）には、「このインデックスプリントへ各焼付画像に対応（例えば、各焼付画像の下方に対応）して該画像に関する情報を記録する。【００１４】
情報には、コマ番号の他に日付、シャッタースピード、絞り、倍率、ストロボの有無、ネガメーカー、ネガ品種、ネガ感度、焦点距離等があり、これをインデックスプリントに記録しておく。」（第２欄第４５行〜第３欄第１行）、「次に、インデックスプリントの作成時に記録部に記録された撮影情報を読取り、インデックスプリント面の所定位置へ読み取られた情報を記録する。これにより、撮影時にのみ判断可能な情報（例えば、シャッタースピードや絞り等のカメラの機能の調節状態の情報）を容易にインデックスプリントへ記録することができる。写真フィルム上の記録部が磁気記録層であるときは、バーコード等の光学的記録に比べて、情報量を数段向上することができると共に新たな情報の書き足し、書き直し、削除等が容易に行え、情報の処理作業性が良い。」（第３欄第９〜１９行）、「ネガフィルム１０の搬送経路上における、ネガキャリア４４よりも上流側には、読取ヘッド６０が配設され、前記カメラ２０の記録ヘッド３０で記録された情報を読み取るようになっている。制御装置４６には、前記読取ヘッド６０で読み取った情報を記録するメモリが設けられている。」（第４欄第２６〜３１行）、「インデックスプリント処理部６２の上マスク６４Ａには、印字装置７４が備えられている。この印字装置７４には、前記読取ヘッド６０から読み取られ制御装置４６のメモリに記憶されている撮影情報が入力されるようになっている。この印字装置７４は、前記インデックスプリント６６に焼付けられた各画像の下側の空白に撮影情報を記録する役目を有している。
【００３３】これにより、インデックスプリント６６には、画像と撮影情報とがそれぞれ対応して記録されることになる。
【００３４】また、印字装置７４には、制御装置４６に接続されたキーボード７６からの情報も入力可能となっており、メモリに記録された情報以外の情報も印字可能となっている。」（第５欄第１５〜２８行）、「画像の焼付処理が終了したインデックスプリント６６は、情報記録部７２へと搬送され、各画像コマの下方に制御装置４６のメモリに記憶されている撮影情報が印字装置７４によって印字される。これにより、画像と撮影状態とが対となったインデックスプリント６６が作成される。」（第６欄第１６〜２１行）、「また、本実施例ではインデックスプリント６６に画像を焼付処理したが、ネガフィルムを透過した光をＣＣＤで読み取って、ＣＲＴに表示する周知のフィルムビデオプレーヤー及びビデオ画像を熱転写等で記録するビデオプリンタを用いて、画像を電機信号に変換し、撮影情報の電気信号を組み合わせてプリントすれば、焼付処理の手間が省け、装置が簡単となる。」（第７欄第１〜７行）、及び「また、本実施例のインデックスプリント６６は、画像の下方にそれぞれ対応して情報を記録するようにしたが、図７に示される如くインデックスプリント６６の一部にまとめて情報を記録するようにしてもよい。また、本実施例では画像をべた焼きし、１本のネガフィルムに撮影された画像を１枚のインデックスプリント６６に収めたが、図８に示される如く、画像が２つ毎にプリントされるように画像を引き延ばしてもよい。これによれば、画像が見やすくなると共に情報量を増加することができる。」（第７欄第１０〜１９行）との記載があり、図３からは、右側の部分（図６の右側インデックスプリント処理装置８２に相当する部分）がインデックスプリンタであり、図７及び図８からは、複数画像が記録される部分と情報が記録される部分とが領域ごとに区画されていることが窺え、結局、ネガフィルム１０の複数駒の画像情報とこの画像情報以外の撮影情報またはメモリに記録された情報以外の情報を一つのインデックスプリント６６に印刷するインデックスプリンタにおいて、前記撮影情報を入力する読取ヘッド６０及び制御装置４６が、複数種の撮影情報を記憶するメモリと、そのメモリに記憶されている撮影情報を印刷されるべき付加情報として指定する制御装置４６と、手動操作により任意の文字情報を印刷されるべき付加情報として入力するキーボード７６とを備えており、かつ前記複数駒の画像情報が互いに近接した状態で印刷される画像表示領域が前記インデックスプリント６６に区画されているとともに、前記撮影情報またはメモリに記録された情報以外の情報が印刷される付加情報表示欄が前記画像表示領域とは別に前記インデックスプリント６６に区画されていることを特徴とするインデックスプリンタ、が記載されている。
　同じく引用した特開平６−１６０９８７号公報（以下、第２引用例という。）には、写真焼付装置が記載されている。
３.そこで、本願請求項１に係る発明と第１引用例記載のものとを対比すると、本願請求項１に係る発明の「フィルム（２）」、「付加情報」、「印刷対象物」、「付加情報入力手段（ＳＩ）」、「記憶手段（ＣＭ）」、「指定手段（ＰＩ）」、「文字情報入力部（ＣＩ）」は、夫々第１引用例記載のものの「ネガフィルム１０」、「撮影情報またはメモリに記録された情報以外の情報」、「インデックスプリント６６」、「読取ヘッド６０及び制御装置４６」、「メモリ」、「制御装置４６」、「キーボード７６」に相当するから、両者は、フィルム（２）の複数駒の画像情報とこの画像情報以外の付加情報を一つの印刷対象物に印刷するインデックスプリンタにおいて、前記付加情報を入力する付加情報入力手段（ＳＩ）が、複数種の付加情報を記憶する記憶手段（ＣＭ）と、その記憶手段（ＣＭ）に記憶されている付加情報を印刷されるべき付加情報として指定する指定手段（ＰＩ）と、手動操作により任意の文字情報を印刷されるべき付加情報として入力する文字情報入力部（ＣＩ）とを備えており、かつ前記複数駒の画像情報が互いに近接した状態で印刷される画像表示領域（ＩＡ）が前記印刷対象物に区画されているとともに、前記付加情報が印刷される付加情報表示欄（ＣＳ）が前記画像表示領域（ＩＡ）とは別に前記印刷対象物に区画されているインデックスプリンタで一致し、
Ａ本願請求項１に係る発明は、付加情報表示欄（ＣＳ）には顧客が自由に書き込める欄が含まれているのに対して、第１引用例記載のものは、そのような記載が無い点で相違する。
４.そこで、この相違点Ａについて検討すると、第１引用例の第７図及び第８図からは、複数画像が記録される部分と情報が記録される部分とが領域ごとに区画されていることが窺え、情報が記録される部分には、撮影情報のみならず、キーボード７６からの情報をも記録されるようになっている。　そして、キーボード７６からの情報量は、常に一定であるとは限らないから、予め、余裕を持って入力可能なスペースが確保されているはずである。
　確保されたスペースに、キーボード７６からの情報が記録されないか、記録されても、その量が少なければ、残部は空欄となる。
　その空欄は、顧客が自由に書き込むことが可能である。
　それゆえ、第１引用例記載のものの空欄を、顧客が自由に書き込める欄とするようなことは、当業者が容易に推考できるものと認められる。
５．したがつて、本願請求項１に係る発明は、第１引用例に基づいて当業者が容易に発明をすることができたものと認められるので、本願請求項１に係る発明は、特許法第２９条第２項の規定により特許を受けることができない。
　よつて、結論のとおり審決する。